(57)【要約】【課題】タブ紙生成用紙を記録用紙として指定を受け付けた際に、タブ紙と同様にタブ編集処理を行い、挿入紙としての扱いに対して禁則処理を行い、タブ紙同様に印刷処理を行うことができるようにする。【解決手段】印刷後に裁断によりタブ紙を生成するためのタブ紙生成用紙を含む記録用紙に画像を印刷するための印刷設定装置の制御プログラムは、前記画像を印刷するための前記記録用紙を指定する手順（Ｓ１０３，Ｓ１０４）と、前記手順（Ｓ１０３，Ｓ１０４）において指定された前記記録用紙が挿入紙として取り扱われるべきか否かを指定する手順（Ｓ１０６）と、前記手順（Ｓ１０３，Ｓ１０４）において前記記録用紙として前記タブ紙生成用紙を指定する場合、前記手順（Ｓ１０６）において当該記録用紙が挿入紙として扱われるべきと指定することを禁止する手順（Ｓ１０７、Ｓ３１２）と、を前記印刷設定装置に実行させる。【選択図】図７
2011134134.tif 000002
【特許請求の範囲】
【請求項１】
印刷後に裁断によりタブ紙を生成するためのタブ紙生成用紙を含む記録用紙に画像を印刷するための印刷設定装置の制御プログラムであって、
前記画像を印刷するための前記記録用紙を指定する手順（Ａ）と、
前記手順（Ａ）において指定された前記記録用紙が挿入紙として取り扱われるべきか否かを指定する手順（Ｂ）と、
前記手順（Ａ）において前記記録用紙として前記タブ紙生成用紙が指定される場合、前記手順（Ｂ）において当該記録用紙が挿入紙として取り扱われるべきと指定することを禁止する手順（Ｃ）と、
を前記印刷設定装置に実行させる制御プログラム。
【請求項２】
前記手順（Ｃ）で前記記録用紙が挿入紙として取り扱われるべきと指定することが禁止された場合、その旨の警告メッセージを表示装置に表示する手順（Ｄ）をさらに前記印刷設定装置に実行させることを特徴とする請求項１に記載の制御プログラム。
【請求項３】
各々の前記記録用紙がタブ紙生成用紙として取り扱われるべきか否かを示す情報を記憶装置に記憶させる手順（Ｅ）をさらに前記印刷設定装置に実行させ、
前記手順（Ｂ）では、前記手順（Ｅ）で記憶された前記情報に基づいて、前記記録用紙が挿入紙として取り扱われるべきか否かが指定されることを特徴とする請求項１または２に記載の制御プログラム。
【請求項４】
前記手順（Ｂ）では、前記手順（Ａ）で指定された前記記録用紙のサイズごとに前記記録用紙が挿入紙として取り扱われるべきか否かが指定されることを特徴とする請求項１〜３のいずれか１つに記載の制御プログラム。
【請求項５】
前記記録用紙にはさらにタブ紙が含まれることを特徴とする請求項１〜４のいずれか１つに記載の制御プログラム。
【請求項６】
前記手順（Ａ）において指定された前記記録用紙がタブ紙またはタブ紙生成用紙である場合に、前記記録用紙のタブ部に印刷されるべきタブ画像を編集する手順（Ｆ）をさらに前記印刷設定装置に実行させることを特徴とする請求項１〜５のいずれか１つに記載の制御プログラム。
【請求項７】
請求項１〜６のいずれか１つに記載の制御プログラムが記録されたコンピュータ読み取り可能な記録媒体。
【請求項８】
印刷後に裁断によりタブ紙を生成するためのタブ紙生成用紙を含む記録用紙に画像を印刷するための印刷設定装置であって、
前記画像を印刷するための前記記録用紙を指定する用紙指定部と、
前記用紙指定部により指定された前記記録用紙が挿入紙として取り扱われるべきか否かを指定する挿入指定部と、
前記用紙指定部により前記記録用紙として前記タブ紙生成用紙が指定された場合、前記挿入指定部により当該記録用紙が挿入紙として取り扱われるべきと指定されることを禁止する制御部と、
を有する印刷設定装置。
【請求項９】
前記制御部により記記録用紙が挿入紙として取り扱われることが禁止された場合に、その旨の警告メッセージを表示する表示部をさらに有することを特徴とする請求項８に記載の印刷設定装置。
【請求項１０】
各々の前記記録用紙がタブ紙生成用紙として取り扱われるべきか否かを示す情報を記憶する記憶部をさらに有し、
前記挿入指定部は、前記記憶部に記憶された前記情報に基づいて、前記記録用紙が挿入紙として取り扱われるべきか否かを指定することを特徴とする請求項８または９に記載の印刷設定装置。
【請求項１１】
前記挿入指定部は、前記用紙指定部により指定された前記記録用紙のサイズごとに前記記録用紙が挿入紙として取り扱われるべきか否かを指定することを特徴とする請求項８〜１０のいずれか１つに記載の印刷設定装置。
【請求項１２】
前記記録用紙にはさらにタブ紙が含まれることを特徴とする請求項８〜１１のいずれか１つに記載の印刷設定装置。
【請求項１３】
前記用紙指定部により指定された前記記録用紙がタブ紙またはタブ紙生成用紙である場合に、前記記録用紙のタブ部に印刷されるべきタブ画像を編集するタブ編集部をさらに有することを特徴とする請求項８〜１２のいずれか１つに記載の印刷設定装置。
【請求項１４】
印刷後に裁断によりタブ紙を生成するためのタブ紙生成用紙を含む記録用紙に画像を印刷するための画像形成システムであって、
前記画像を印刷するための前記記録用紙を指定する用紙指定部と、前記用紙指定部により指定された前記記録用紙が挿入紙として取り扱われるべきか否かを指定する挿入指定部と、前記用紙指定部により前記記録用紙として前記タブ紙生成用紙が指定された場合、前記挿入指定部により当該記録用紙が挿入紙として扱われるべきと指定されることを禁止する制御部と、を有する印刷設定装置、及び
前記用紙指定部により指定された前記記録用紙に前記画像を印刷する印刷部を有する画像形成装置を備えており、
前記印刷部は、前記挿入指定部により前記記録用紙が挿入紙として取り扱われるべきと指定された場合に、前記記録用紙を挿入紙として取り扱うことを特徴とする画像形成システム。
【請求項１５】
前記印刷設定装置は、前記制御部により前記記録用紙が挿入紙として取り扱われることが禁止される場合に、その旨の警告メッセージを表示する表示部をさらに有することを特徴とする請求項１４に記載の画像形成システム。
【請求項１６】
前記印刷設定装置は、各々の前記記録用紙がタブ紙生成用紙として取り扱われるべきか否かを示す情報を記憶する記憶部をさらに有し、
前記挿入指定部は、前記記憶部に記憶された前記情報に基づいて、前記記録用紙が挿入紙として取り扱われるべきか否かを指定することを特徴とする請求項１４または１５に記載の画像形成システム。
【請求項１７】
前記挿入指定部は、前記用紙指定部により指定された前記記録用紙のサイズごとに前記記録用紙が挿入紙として取り扱われるべきか否かを指定することを特徴とする請求項１４〜１６のいずれか１つに記載の画像形成システム。
【請求項１８】
前記記録用紙にはさらにタブ紙が含まれることを特徴とする請求項１４〜１７のいずれか１つに記載の画像形成システム。
【請求項１９】
前記印刷設定装置は、前記用紙指定部により指定された前記記録用紙がタブ紙またはタブ紙生成用紙である場合に、前記記録用紙のタブ部に印刷されるべきタブ画像を編集するタブ編集部をさらに有し、
前記印刷部は前記タブ編集部により編集された前記タブ画像をさらに前記記録用紙に印刷することを特徴とする請求項１４〜１８のいずれか１つに記載の画像形成システム。
【発明の詳細な説明】
【技術分野】
【０００１】
本発明は、タブ紙生成用紙を含む記録用紙に画像を印刷するための印刷設定装置の制御プログラム、当該印刷設定装置、および当該印刷設定装置を含む画像形成システムに関する。
【背景技術】
【０００２】
近年、多くの画像形成システムは、矩形状の本体と当該本体の一辺の所定位置に設けられたタブ部（タブ耳）とを備えたタブ紙（タブ用紙）を挿入紙としてページ間に挿入しながら印刷物を作成する機能を備えている。また、ページ間に挿入されるタブ紙のタブ部分に画像を印刷する機能（以下、「タブ印刷機能」ともいう）を備えた画像形成システムも存在する。
【０００３】
これに関連して、以下の特許文献１には、タブ印刷機能に関する各種設定情報をユーザが編集するための設定画面を表示する画像形成装置が提案されている。特に、当該設定画面上では、タブ紙を挿入紙として取り扱うべきか否か、そして、挿入紙としてのタブ紙を印刷物の何ページ目に挿入すべきかを設定することができる。
【０００４】
ここで、上記のような画像形成装置によりタブ印刷機能を実行する場合、記録用紙としてＡ４タブ紙やＢ５タブ紙のような既製のタブ紙を使用することが一般的であるが、ユーザによっては既製のタブ紙よりも一回り大きい枚葉紙に対してタブ印刷機能を実行し、印刷後の枚葉紙を既製のタブ紙の形状に合わせて断裁することにより所望のタブ紙を生成することを希望する場合がある。このように印刷後の断裁処理によりタブ紙を生成するための枚葉紙を以下では「タブ紙生成用紙」と称することにする。
【０００５】
しかしながら、上記の画像形成装置によりタブ紙生成用紙に対するタブ印刷機能を実行しようとすると、設定画面上でタブ生成用紙を挿入紙として取り扱うべきとの設定がなされた場合には、出力された印刷物中に挿入紙としてのタブ生成用紙とその他の用紙とが混在することになる。その結果、印刷後の断裁処理に先立ちタブ紙生成用紙とその他の用紙とを仕分けるための作業が必要となり、ユーザの負担が増加するという問題点が指摘されている。
【先行技術文献】
【特許文献】
【０００６】
【特許文献１】特開２００３−２６０８４３号公報
【発明の概要】
【発明が解決しようとする課題】
【０００７】
本発明は上記従来技術の有する問題点に鑑みてなされたものであり、本発明の目的は、タブ印刷に関する各種編集情報の編集機能をタブ紙生成用紙への印刷処理に拡張するのと同時に、タブ紙生成用紙が挿入紙として取り扱われることを防止することができる印刷設定装置の制御プログラム、当該印刷設定装置、および当該印刷設定装置を含む画像形成システムを提供することである。
【課題を解決するための手段】
【０００８】
本発明の上記目的は、下記の手段によって達成される。
【０００９】
（１）印刷後に断裁によりタブ紙を生成するためのタブ紙生成用紙を含む記録用紙に画像を印刷するための印刷設定装置の制御プログラムであって、前記画像を印刷するための前記記録用紙を指定する手順（Ａ）と、前記手順（Ａ）において指定された前記記録用紙が挿入紙として取り扱われるべきか否かを指定する手順（Ｂ）と、前記手順（Ａ）において前記記録用紙として前記タブ紙生成用紙が指定される場合、前記手順（Ｂ）において当該記録用紙が挿入紙として取り扱われるべきと指定することを禁止する手順（Ｃ）と、を前記印刷設定装置に実行させる制御プログラム。
【００１０】
（２）前記手順（Ｃ）で前記記録用紙が挿入紙として取り扱われるべきと指定することが禁止された場合、その旨の警告メッセージを表示装置に表示する手順（Ｄ）をさらに前記印刷設定装置に実行させる上記（１）に記載の制御プログラム。
【００１１】
（３）各々の前記記録用紙がタブ紙生成用紙として取り扱われるべきか否かを示す情報を記憶装置に記憶させる手順（Ｅ）をさらに前記印刷設定装置に実行させ、前記手順（Ｂ）では、前記手順（Ｅ）で記憶された前記情報に基づいて、前記記録用紙が挿入紙として取り扱われるべきか否かが指定される上記（１）または（２）に記載の制御プログラム。
【００１２】
（４）前記手順（Ｂ）では、前記手順（Ａ）で指定された前記記録用紙のサイズごとに前記記録用紙が挿入紙として取り扱われるべきか否かが指定される上記（１）〜（３）のいずれか１つに記載の制御プログラム。
【００１３】
（５）前記記録用紙にはさらにタブ紙が含まれる上記（１）〜（４）のいずれか１つに記載の制御プログラム。
【００１４】
（６）前記手順（Ａ）において指定された前記記録用紙がタブ紙またはタブ紙生成用紙である場合に、前記記録用紙のタブ部に印刷されるべきタブ画像を編集する手順（Ｆ）をさらに前記印刷設定装置に実行させる上記（１）〜（５）のいずれか１つに記載の制御プログラム。
【００１５】
（７）上記（１）〜（６）のいずれか１つに記載の制御プログラムが記録されたコンピュータ読み取り可能な記録媒体。
【００１６】
（８）印刷後に断裁によりタブ紙を生成するためのタブ紙生成用紙を含む記録用紙に画像を印刷するための印刷設定装置であって、前記画像を印刷するための前記記録用紙を指定する用紙指定部と、前記用紙指定部により指定された前記記録用紙が挿入紙として取り扱われるべきか否かを指定する挿入指定部と、前記用紙指定部により前記記録用紙として前記タブ紙生成用紙が指定された場合、前記挿入指定部により当該記録用紙が挿入紙として取り扱われるべきと指定されることを禁止する制御部と、を有する印刷設定装置。
【００１７】
（９）前記制御部により記記録用紙が挿入紙として取り扱われることが禁止された場合に、その旨の警告メッセージを表示する表示部をさらに有する上記（８）に記載の印刷設定装置。
【００１８】
（１０）各々の前記記録用紙がタブ紙生成用紙として取り扱われるべきか否かを示す情報を記憶する記憶部をさらに有し、前記挿入指定部は、前記記憶部に記憶された前記情報に基づいて、前記記録用紙が挿入紙として取り扱われるべきか否かを指定する上記（８）または（９）に記載の印刷設定装置。
【００１９】
（１１）前記挿入指定部は、前記用紙指定部により指定された前記記録用紙のサイズごとに前記記録用紙が挿入紙として取り扱われるべきか否かを指定する上記（８）〜（１０）のいずれか１つに記載の印刷設定装置。
【００２０】
（１２）前記記録用紙にはさらにタブ紙が含まれる上記（８）〜（１１）のいずれか１つに記載の印刷設定装置。
【００２１】
（１３）前記用紙指定部により指定された前記記録用紙がタブ紙またはタブ紙生成用紙である場合に、前記記録用紙のタブ部に印刷されるべきタブ画像を編集するタブ編集部をさらに有する上記（８）〜（１２）のいずれか１つに記載の印刷設定装置。
【００２２】
（１４）印刷後に断裁によりタブ紙を生成するためのタブ紙生成用紙を含む記録用紙に画像を印刷するための画像形成システムであって、前記画像を印刷するための前記記録用紙を指定する用紙指定部と、前記用紙指定部により指定された前記記録用紙が挿入紙として取り扱われるべきか否かを指定する挿入指定部と、前記用紙指定部により前記記録用紙として前記タブ紙生成用紙が指定された場合、前記挿入指定部により当該記録用紙が挿入紙として扱われるべきと指定されることを禁止する制御部と、を有する印刷設定装置、及び前記用紙指定部により指定された前記記録用紙に前記画像を印刷する印刷部を有する画像形成装置を備えており、前記印刷部は、前記挿入指定部により前記記録用紙が挿入紙として取り扱われるべきと指定された場合に、前記記録用紙を挿入紙として取り扱うことを特徴とする画像形成システム。
【００２３】
（１５）前記印刷設定装置は、前記制御部により前記記録用紙が挿入紙として取り扱われることが禁止される場合に、その旨の警告メッセージを表示する表示部をさらに有する上記（１４）に記載の画像形成システム。
【００２４】
（１６）前記印刷設定装置は、各々の前記記録用紙がタブ紙生成用紙として取り扱われるべきか否かを示す情報を記憶する記憶部をさらに有し、前記挿入指定部は、前記記憶部に記憶された前記情報に基づいて、前記記録用紙が挿入紙として取り扱われるべきか否かを指定する上記（１４）または（１５）に記載の画像形成システム。
【００２５】
（１７）前記挿入指定部は、前記用紙指定部により指定された前記記録用紙のサイズごとに前記記録用紙が挿入紙として取り扱われるべきか否かを指定する上記（１４）〜（１６）のいずれか１つに記載の画像形成システム。
【００２６】
（１８）前記記録用紙にはさらにタブ紙が含まれる上記（１４）〜（１７）のいずれか１つに記載の画像形成システム。
【００２７】
（１９）前記印刷設定装置は、前記用紙指定部により指定された前記記録用紙がタブ紙またはタブ紙生成用紙である場合に、前記記録用紙のタブ部に印刷されるべきタブ画像を編集するタブ編集部をさらに有し、前記印刷部は前記タブ編集部により編集された前記タブ画像をさらに前記記録用紙に印刷する上記（１４）〜（１８）のいずれか１つに記載の画像形成システム。
【発明の効果】
【００２８】
本発明によると、印刷用の記録用紙としてタブ紙生成用紙が指定された場合においても、タブ紙が指定された場合と同様にタブ印刷機能に関する各種設定情報を編集することができる。さらに、本発明によると、タブ紙生成用紙が挿入紙として扱われることが禁止されるため、印刷物中にタブ紙生成用紙とその他の記録用紙が混在することが防止される。その結果、ユーザは煩雑な仕分け作業から解放される。
【図面の簡単な説明】
【００２９】
【図１】本発明の第１の実施形態に係る画像形成システムの構成を示すブロック図である。
【図２】本発明の第１の実施形態に係る印刷設定装置（ＰＣ）の構成を示すブロック図である。
【図３】本発明の第１の実施形態に係る画像形成装置（ＭＦＰ）の外観を示す概略図である。
【図４】本発明の第１の実施形態に係る画像形成装置（ＭＦＰ）の構成を示すブロック図である。
【図５】タブ紙生成用紙の一例を示す図である。
【図６】タブ紙の一例を示す図である。
【図７】本発明の第１の実施形態に係るＰＣにおける処理の手順を示すフローチャートである。
【図８】タブ紙設定画面の一例を示す図である。
【図９】用紙サイズとタブ編集に関する関数値との対応関係を示す表図である。
【図１０】タブ編集に関する関数値のセットの手順を示すフローチャートである。
【図１１】タブ部編集処理の手順を示すフローチャートである。
【図１２】タブ部編集画面の一例を示す図である。
【図１３】警告画面の一例を示す図である。
【図１４】印刷ジョブ情報の一例を示す図である。
【図１５】本発明の第１の実施形態に係るＭＦＰにおける処理の手順を示すフローチャートである。
【図１６】本発明の第２の実施形態に係るＰＣにおける処理の手順を示すフローチャートである。
【図１７】ページ設定画面の一例を示す図である。
【発明を実施するための形態】
【００３０】
以下、本発明の第１の実施形態を、図面を参照して詳細に説明する。
【００３１】
図１は、本発明の第１の実施形態にかかる画像形成システムＡの全体構成を示すブロック図である。
【００３２】
本実施形態にかかる画像形成システムＡは、文書の印刷の指示等を行う印刷設定装置としてのＰＣ１と、ＰＣ１の印刷指示に基づいて印刷を行う画像形成装置としてのＭＦＰ２とを備え、これらはネットワーク３により相互に通信可能に接続されている。なお、ＰＣ１とＭＦＰ２とは、ネットワーク３を介することなく直接機器間で接続（ローカル接続）されていてもよい。
【００３３】
図２は、図１に示されるＰＣ１の構成を示すブロック図である。
【００３４】
ＰＣ１は、制御部１１、記憶部１２、表示部１３、操作部１４、通信インタフェース１５を備えており、これらは信号をやり取りするためのバス１６を介して相互に接続されている。
【００３５】
制御部１１は、たとえばＣＰＵであり、プログラムにしたがって、上記各部の制御や各種の演算処理を行う。
【００３６】
記憶部１２は、たとえば、ＲＯＭ、ＲＡＭ、ハードディスクなどを備える。ＲＯＭは、各種プログラムや各種データを格納する。ＲＡＭは、作業領域として一時的にプログラムやデータを記憶する。ハードディスクは、オペレーティングシステムを含む各種プログラムや各種データを格納する。データはＣＰＵによって処理され、必要に応じて通信インタフェース１５や表示部１３に転送される。
【００３７】
ここで、記憶部１２が備えるハードディスクには、文書ファイルを作成するためのアプリケーションと、文書ファイルをＭＦＰ２が解釈可能なページ記述言語（ＰＤＬ：Ｐａｇｅ  Ｄｅｓｃｒｉｐｔｉｏｎ  Ｌａｎｇｕａｇｅ）で記述されたＰＤＬデータに変換するためのプリンタドライバとがインストールされている。プリンタドライバは、アプリケーションを使用して作成した文書ファイルの印刷指示の他、印刷出力条件の設定やタブ紙に関する設定を行う機能を有する。プリンタドライバには、これらの設定を行うためのプログラム、並びに、その設定情報およびＰＤＬデータからなる印刷ジョブを作成するプログラムが含まれる。
【００３８】
表示部１３は、たとえばディスプレイ１５であり、具体的にはＬＣＤ、ＣＲＴディスプレイ等であり、各種の情報の表示に使用される。
【００３９】
操作部１４は、たとえば入力装置であり、マウス等のポインティングデバイスやキーボードを含み、各種情報の入力に使用される。ＰＣ１からの操作はここから行う。
【００４０】
通信インタフェース１５は、ネットワーク３を介して他の機器と通信するためのインタフェースであり、イーサネット（登録商標）、トークンリング、ＦＤＤＩ等の規格が用いられる。
【００４１】
図３は本実施形態に係るＭＦＰ２の外観を示す概略図であり、図４はＭＦＰ２の全体構成を示すブロック図である。図３及び図４に示すように、ＭＦＰ（Ｍｕｌｔｉ−Ｆｕｎｃｔｉｏｎａｌ  Ｐｅｒｉｐｈｅｒａｌ）２は、制御部２１、記憶部２２、操作部２３、画像読取部２４、印刷部２５、後処理部２６、給紙部２７、及び通信インタフェース２８を備えており、これらは信号をやり取りするためのバス２９を介して相互に接続されている。これらの構成要素について以下に順に説明する。
【００４２】
制御部２１は、ＣＰＵであり、プログラムに従って各部の動作を制御するとともに各種演算処理を実行する。
【００４３】
記憶部２２は、各部の基本動作を制御するための制御プログラムやパラメータ等を格納するＲＯＭ、作業領域として一時的に制御プログラムやパラメータ等を格納するＲＡＭ、及びＯＳ（オペレーションシステム、基本ソフトウェア）や制御プログラムやパラメータ等を格納するハードディスクを備えている。
【００４４】
具体的には、記憶部２２に備えられるＲＯＭまたはハードディスクには、ＰＣ１から受信したＰＤＬデータを翻訳しビットマップ形式の画像データであるビットマップデータに展開するためのラスタライズ処理のプログラム、受信したＰＤＬデータの処理方法を解析するための画像データ処理のプログラム、ビットマップデータを含む印刷データに基づいて行われる印刷処理のプログラムが格納されている。そして、そのハードディスクには、受信したＰＤＬデータおよびビットマップデータが保存され得る。
【００４５】
操作部２３は、各種情報を表示するとともにユーザから各種設定情報を取得するためのタッチパネル、コピー枚数等を設定するテンキー、動作の開始を指示するスタートキー、動作の停止を指示するストップキー、各種設定条件を初期化するリセットキー等の各種固定キー、表示ランプ等を含むタッチパネルである。
【００４６】
画像読取部２４は、原稿台の所定の読取位置にセットされた原稿、又はＡＤＦ（Ａｕｔｏ  Ｄｏｃｕｍｅｎｔ  Ｆｅｅｄｅｒ；自動原稿搬送装置）により所定の読取位置に搬送された原稿に蛍光ランプ等の光源から光を当て、その反射光をＣＣＤイメージセンサやＣＭＯＳイメージセンサ等の受光素子で光電変換することで得られる電気信号からページ画像データ（ビットマップデータ）を生成する。
【００４７】
印刷部２５は、画像読取部２４により生成したページ画像データ又はＰＣ１等から受信した印刷ジョブに基づいて、印刷ページ画像を電子写真方式により記録用紙に印刷する。より具体的には、印刷部２５は、感光体ドラムを帯電させる帯電工程、レーザ光により感光体ドラム上に静電潜像を形成する露光工程、感光体ドラム上の静電潜像にトナーを付着させてトナー画像を形成する現像工程、感光体ドラム上のトナー画像を転写ベルトにより記録用紙に転写する転写工程、記録用紙に転写されたトナー画像を定着ローラにより加熱・定着させる定着工程を順次実行することにより印刷ページ画像を記録用紙に印刷する。なお、ここでいう記録用紙とは通常用紙又はタブ紙である。
【００４８】
なお、本実施形態に係る印刷部２５は、タブ紙及びタブ紙生成用紙のタブ部に見出しを印刷するためのタブ印刷機能を備えている。通常用紙の印刷処理では、印刷するページの縁部を余白部分として印刷しない領域を設定して、余白を含む通常の印刷処理が実行される。それに対し、タブ部に印刷するタブ印刷では、通常の印刷方法とは異なるフルブリード印刷が実行される。フルブリード印刷とは、通常印刷処理においては余白とされる各ページの縁部にも画像を印刷する方法である。たとえばタブ紙におけるタブ部分は、印刷するページの縁部に相当する領域にあるために、フルブリード印刷において印刷処理をする必要がある。同様に、タブ紙生成用紙におけるタブ部分もフルブリード印刷処理をする必要がある。
【００４９】
印刷部２５が採用する印刷方式は、上述の電子写真方式以外に、インパクト方式、熱転写方式、及びインクジェット方式等であってもよい。印刷部２５による印刷済みの記録用紙は必要に応じて後処理部２６に搬送される。
【００５０】
後処理部２６は、印刷部２５から搬送された記録用紙に対してユーザ指定の後処理を施して出力用の印刷物を作成する。たとえば、搬送されてきた用紙に対してパンチ穴開け処理、ステープル処理綴じ処理等を施すことができる。後処理部２６により作成された印刷物は、後処理部２６の側面に設置された排紙トレイ２６１または２６２に排出される。なお、ユーザ指定の後処理がない場合は、印刷物は印刷部２５から直接排紙トレイ２６１に印刷物が排出される。
【００５１】
給紙部２７は、複数種類の記録用紙をサイズごとに格納する給紙トレイ、及び制御部１１からの指令に応じて各給紙トレイ内の記録用紙を印刷部２５に搬送する搬送機構等を備えている。なお、図３中では簡略化のために給紙トレイ２７１〜２７３のみを示しているが、給紙トレイの数はこれに限定されない。そのほかに手差し給紙トレイを備えてもよい。
【００５２】
たとえば、複数種類の記憶用紙のサイズとして、Ａ４用紙、Ａ４用紙にタブ部が備えられたＡ４Ｔａｂ用紙、断裁処理によってＡ４Ｔａｂ用紙を生成するための２２５ｘ２９７ｍｍ用紙、Ｂ５用紙、Ｂ５用紙にタブ部が備えられたＢ５Ｔａｂ用紙、Ａ３用紙、８．５ｘ１１（Ｌｅｔｔｅｒ）用紙、８．５ｘ１１用紙にタブ部が備えられた８．５ｘ１１Ｔａｂ用紙、断裁処理によって８．５ｘ１１Ｔａｂ用紙を生成するための９ｘ１１用紙などが挙げられる。これら２２５ｘ２９７ｍｍ用紙や９ｘ１１用紙などのタブ紙生成用紙は、後処理部２６で後処理を施さない通常の印刷物として排出された後、ＭＦＰ２とは独立したトリミング装置によって断裁されタブ紙となる。
【００５３】
通信インタフェース２８は、ＰＣ１と外部機器との間で通信を行うためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２．１１、ＨｏｍｅＲＦ、ＩｒＤＡ等の無線通信インタフェース等の各種ローカル接続インタフェース、電話回線に接続するための電話回線インタフェース等が用いられる。
【００５４】
上記構成により、ＭＦＰ２は、通信インタフェースにより外部機器から受信した印刷ジョブ、又は画像読取部２４により読み取った原稿画像に基づき記録用紙に印刷を実行し、印刷が実行された記録用紙を排出することが可能である。
【００５５】
図５は、タブ紙生成用紙４００の例を示す図である。図５に示すように、タブ紙生成用紙４００は、トリミング装置などを利用して、断裁ラインＬ４０１に沿って断裁されることによってタブ紙５００として生成される。タブ紙生成用紙４００のサイズとしては、たとえば、Ａ４Ｔａｂのサイズのタブ紙を生成する場合、２２５ｘ２９７ｍｍのサイズの用紙を利用するのが好ましい。他にも、Ｌｅｔｔｅｒサイズの８．５ｘ１１インチのタブ紙を生成する場合は、９ｘ１１インチのサイズのタブ紙生成用紙を利用するのが好ましい。
【００５６】
タブ紙生成用紙４００は、通常複数枚重ねられて所定の給紙トレイ２７にセットされる。
【００５７】
図６は、タブ紙生成用紙４００から生成されるタブ紙５００の例を示す図であり、（Ａ）は３タブのタブ紙５００、（Ｂ）は５タブのタブ紙６００を示す。タブ紙はインデックス紙とも呼ばれる。図６（Ａ）に示すように、タブ紙５００は、３枚の構成要素としてのタブ紙５１１〜５１３からなる１セットのタブ紙であり、３タブと称される。タブ紙５１１〜５１３は、それぞれ矩形状の本体と、当該本体の一辺の所定位置に設けられたタブ部５２１〜５２３とを備えている。また、図６（Ｂ）に示すように、タブ紙６００は、５枚の構成要素としてのタブ紙６１１〜６１５からなる１セットのタブ紙であり、５タブと称される。タブ紙６１１〜６１５は、それぞれ矩形状の本体と、当該本体の一辺の所定位置に設けられたタブ部６２１〜６２５とを備えている。
【００５８】
図６に示されるタブ紙の並び順は正順と呼ばれ、タブ部が本体の右側に位置されたときに上層のタブ部が下層のタブ部よりも図６の上側に位置するように並べられる。３タブのタブ紙５００の場合、タブ部５２１〜５２３は、本体の一辺の上部から順に３段階にてそれぞれ下降した位置に設けられている。ここで、タブ部５２１の位置は１／３、タブ部５２２の位置は２／３、タブ部５２２の位置は３／３と称される。また、５タブのタブ紙６００の場合、タブ部６２１〜５２５は、本体の一辺の上部から順に５段階にてそれぞれ下降した位置に設けられている。ここで、タブ部６２１の位置は１／５、タブ部６２２の位置は２／５、タブ部６２３の位置は３／５、タブ部６２４の位置は４／５、タブ部６２５の位置は５／５、と称される。
【００５９】
次に、本実施形態における画像形成システムＡの動作について説明する。画像形成システムＡは、まず、印刷設定装置としてのＰＣ１によって印刷設定処理を実行し、その後、その印刷設定内容に基づいて画像形成装置としてのＭＦＰ２によって印刷処理を実行する。ＰＣ１とＭＦＰ２による処理の手順をそれぞれ説明する。
【００６０】
図７は、ＰＣ１における印刷設定処理の手順を示すフローチャートである。なお、図７のフローチャートにより示されるアルゴリズムは、ＰＣ１の記憶部１２に備えられるハードディスク等にプログラムとして記憶されており、制御部１１に備えられるＣＰＵによって実行される。
【００６１】
タブ部への印刷処理を行う際、ユーザの操作に基づいて、アプリケーションの印刷設定ダイアローグを介して、プリンタドライバが起動させられる（Ｓ１０１）。
【００６２】
続いて、プリンタドライバによって表示される印刷設定画面において、ユーザが例えばタブ紙設定ボタンをクリックすることによりタブ紙に関する設定の開始要求が受け付けられ、タブ紙設定画面が表示部１３のディスプレイ等に表示される（Ｓ１０２）。
【００６３】
図８は、タブ紙設定画面１００の一例を示す図である。
【００６４】
タブ紙設定画面１００は、タブ総数設定部１０１、使用タブ数設定部１０２、用紙種類設定部１０３、斤量設定部１０４、給紙トレイ設定部１０５、用紙サイズ設定部１０６、画像プレビュー部１０８、タブ部編集設定部１０９、タブ編集完了確認部１１０を備えている。ユーザは、タブ紙設定画面１００に設けられた各設定部を操作部１４によって操作することでタブ部に関する設定を行うことができる（Ｓ１０３、Ｓ１０４）。
【００６５】
タブ総数設定部１０１において、１セットあたりのタブ紙の総数の設定を行う。タブ総数設定部１０１はテキスト入力欄を有し、たとえば、ユーザは「５」と入力することで、タブ紙の総数を指定することができる。テキスト入力欄に限らずに、アップダウンボタンでもよい。
【００６６】
使用タブ数設定部１０２において、タブ紙の総数のうち実際に使用するタブ紙の数の設定を行う。使用タブ数設定部１０２はテキスト入力欄を有し、たとえば、ユーザは「３」と入力することで、実際に使用するタブ紙の数を指定することができる。テキスト入力欄に限らずに、アップダウンボタンでもよいが、上記で設定したタブ紙の総数よりも大きな数は入力できない設定が好ましい。
【００６７】
用紙種類設定部１０３において、印刷する用紙の種類の設定を行う。用紙種類設定部１０３は、プルダウンメニューを有し、たとえば、ユーザは「カラー用紙」を選択することで、印刷する用紙の種類を設定することができる。プルダウンメニューには、「カラー用紙」の他に、普通紙、厚紙などが予め記録されている。さらに、タブ紙、タブ紙生成用紙がプルダウンメニューに含まれていてもよく、プルダウンメニューにおいて、タブ紙、タブ紙生成用紙をユーザに選択可能な状態にしておいてもよい。その際、用紙種類設定部１０３においてタブ紙が選択された場合は、下記で説明する用紙サイズ設定部１０６においてはタブ紙以外の用紙サイズが選択不可にしたり、タブ紙生成用紙が選択された場合は、タブ紙生成用紙以外の用紙サイズが選択不可にしたりすることもできる。
【００６８】
斤量設定部１０４において、用紙種類設定部１０３及び下記で説明する用紙サイズ設定部１０６で設定されている用紙に連動して、その用紙の斤量に関する情報がテキストボックスに表示される。たとえば、「カラー用紙」「９ｘ１１」がそれぞれ設定されていた場合、「８０ｇ／ｍ２」と表示される。なお、テキストボックスに表示される値とは異なる際は、ユーザが正しい値をテキストボックスに入力し直すこともできる。
【００６９】
給紙トレイ設定部１０５において、印刷する用紙が格納されているＭＦＰ２の給紙トレイの設定を行う。給紙トレイ設定部１０５は、プルダウンメニューを有し、たとえば、ユーザは「自動」を選択することで、予め「自動」に割り振られている給紙トレイを指定することができる。プルダウンメニューには、「自動」以外にも、たとえば、給紙トレイ１、給紙トレイ２、給紙トレイ３、手差しトレイなどが含まれる。
【００７０】
用紙サイズ設定部１０６において、印刷する記録用紙の用紙サイズの設定を行う（Ｓ１０４）。用紙サイズ設定部１０６は、プルダウンメニューを有し、たとえば、ユーザは「９ｘ１１」を選択することで、印刷する用紙の用紙サイズを指定することができる。プルダウンメニューには、タブ紙の用紙サイズ、タブ紙生成用紙サイズが選択可能になっており、たとえば、用紙サイズのプルダウンメニューの項目１０７に示すように、「９ｘ１１」以外にも、８．５ｘ１１Ｔａｂ、Ａ４Ｔａｂ、２２５ｘ２９７ｍｍなどの項目が含まれている。ここで、９ｘ１１は用紙サイズが８．５ｘ１１Ｔａｂのタブ紙を生成するためのタブ紙生成用紙の用紙サイズである。同様に、２２５ｘ２９７ｍｍは、用紙サイズがＡ４Ｔａｂのタブ紙を生成するためのタブ紙生成用紙の用紙サイズを示す。
【００７１】
ここで、各設定部がユーザから取得した設定値を格納するための手順について説明する。
【００７２】
タブ部に関する設定を各設定部で行うと、ＰＣ１においてそれぞれの設定が記憶部に格納される。たとえば、ユーザが用紙サイズ設定部１０６において、「９ｘ１１」という用紙サイズを指定することで、ＰＣ１は記憶部に用紙サイズが９ｘ１１であるという設定値を格納する（Ｓ１０５）。
【００７３】
次に、用紙サイズの設定値を記憶部に格納した後に、その格納された用紙サイズの用紙の属性が「タブ紙」、「タブ紙生成用紙」、「普通紙」のいずれかであるかを判定する（Ｓ１０６）。ここでの判定は記憶部１２に予め格納された用紙サイズと用紙の属性との対応関係を示す用紙サイズ対応情報１２０に基づいて行われる。図９は、用紙サイズと用紙の属性とタブ部に関するパラメータ値との対応関係の一例を示す図表である。図９に示す情報１２０に基づいて、たとえば、記憶部１２に格納された用紙サイズが「９ｘ１１」であった場合、その用紙の属性は、「タブ紙生成用紙」であると判定される。
【００７４】
次に、用紙の属性を判定した結果に応じてタブ部に関する関数値（パラメータ値）をセットするためのタブ関数値セット処理を実行する（Ｓ１０７）。セットとは記憶部１２などに関数値を格納することを示し、設定された用紙サイズと関数値を関連付けることを示す。また、関数値の判定に関しても、図９に示すような対応関係を示す情報に基づいて行われる。関数値としては、関数「ＴａｂＩｍａｇｅ」と関数「ＴａｂＩｎｓｅｒｔ」の２つがタブ部に関する関数値として用意される。関数「ＴａｂＩｍａｇｅ」はＭＦＰ２において、タブ部に画像を印刷するか否かを示す関数値であり、たとえば、タブ部に画像を印刷する場合は「１」の値、タブ部に画像を印刷しない場合は「０」の値が関数「ＴａｂＩｍａｇｅ」にセットされる。また、関数「ＴａｂＩｎｓｅｒｔ」は挿入紙として取り扱うか否かを示す関数値であり、挿入紙として取り扱う場合は「１」の値、挿入紙として取り扱わない場合は「０」の値が関数「ＴａｂＩｎｓｅｒｔ」にセットされる。
【００７５】
図１０は、タブ関数値セット処理（Ｓ１０７）の処理の具体的な手順を示すフローチャート図である。
【００７６】
まず、用紙の属性に基づいて場合分けが行われる（Ｓ２０１）。用紙の属性が「タブ紙」であった場合、関数「ＴａｂＩｍａｇｅ」には１がセットされ、関数「ＴａｂＩｎｓｅｒｔ」には「１」がセットされる（Ｓ２０２）。用紙属性が「タブ紙生成用紙」であった場合、関数「ＴａｂＩｍａｇｅ」には「１」がセットされ、関数「ＴａｂＩｎｓｅｒｔ」には０がセットされる（Ｓ２０３）。用紙属性が「普通紙」であった場合、関数「ＴａｂＩｍａｇｅ」には０がセットされ、関数「ＴａｂＩｎｓｅｒｔ」には「０」がセットされる（Ｓ２０３）。
【００７７】
画像プレビュー部１０８において、タブ総数設定部１０１で設定された１セットあたりのタブ紙の総数と、使用タブ数設定部１０２で設定されたタブ紙の数とに基づいて、現在設定中の各タブ紙を視覚化した画像プレビューが表示される。たとえば、タブ総数が「５」、使用タブ数が「３」と設定されている場合、５タブのタブ紙の内３ページ分が画像プレビュー部１０８に表示される（Ｓ１０８）。設定される前の画像プレビュー部１０８には、初期状態の画像プレビューや前回実行された設定における画像プレビューが表示されていてもよい。
【００７８】
タブ部編集設定部１０９において、印刷するタブ部（タブ耳）を編集する処理の開始を受け付けることができる。たとえば、画像プレビュー部１０８に表示される各ページにボタンとして備えられ、ボタンを押下することで処理の開始を受け付ける。
【００７９】
次に、印刷するタブ部を編集するためのタブ部編集処理（Ｓ１０９）を実行する。図１１は、タブ部編集処理（Ｓ１０９）の手順を示すフローチャート図である。
【００８０】
まず、画像プレビュー部１０８において、編集するタブページの指定を受け付ける（Ｓ３０１）。たとえば、タブページの指定は、操作部１４を使用し、画像プレビュー部１０８に表示されている複数のページの中の１つをクリック（押下）し選択してもよい。
【００８１】
次に、選択したページのタブ部の編集を開始するために、タブ部編集設定部１０９のボタンを押下することにより、画像プレビュー部１０８でユーザが指定したタブ紙のタブ部分に関する設定の開始要求が受け付けられる（Ｓ３０２）。
【００８２】
ここで、タブ部の編集を許可するのか許可しないのかを、セットされたＴａｂＩｍａｇｅの値に基づいて判定する（Ｓ３０３）。このタブ部の編集を許可するか否かの判定は、タブ部を印刷する用紙が「タブ紙」または「タブ紙生成用紙」であるのか、「普通紙」であるのか判定する。つまり、「普通紙」の場合タブ部が存在しないので、ＭＦＰ２において印刷ができないため、ユーザに印刷不可であることを認識させるためにこの判定処理が実行される。
【００８３】
ＴａｂＩｍａｇｅ値が「１」の場合は、タブ部の編集が可能なため、タブ部の編集を許可する（Ｓ３０４）。そして、タブ部編集用のタブ部編集画面を表示する（Ｓ３０５）。
【００８４】
ＴａｂＩｍａｇｅ値が「０」の場合は、タブ部の編集を禁止する（Ｓ３０６）。タブ部の編集ができないことをユーザに認識させるために、たとえば、警告画面を表示する。また警告画面において、ユーザが選択している用紙が普通紙であること、ユーザが選択している用紙サイズはタブ紙やタブ紙生成用紙ではない用紙サイズであることなど、を認識させると同時に、用紙サイズの再選択を促しても良い。そして、ユーザによる新たな用紙サイズの指定を受け付ける（Ｓ３０７）。そして、新たな用紙サイズとして「タブ紙」または「タブ紙生成用紙」が設定されると、上記で説明したＳ１０４〜Ｓ１０６と同様の処理が行われ、次にタブ部編集ボタンをクリックされることで、タブ部の編集の許可がされ（Ｓ３０４）、タブ部編集画面が表示される（Ｓ３０５）。
【００８５】
図１２は、タブ部編集画面１５０の一例を示す図である。
【００８６】
タブ部編集画面１５０は、ページ設定部１５１、挿入設定部１５２、タブ位置設定部１５３、タブ長さ設定部１５４、タブテキスト設定部１５５、サイズ設定部１５６、カラー設定部１５７、角度設定部１５８、タブ紙プレビュー部１５９、タブ部編集完了確認部１６０を備えている。ユーザは、タブ部編集画面１５０に設けられた各設定部を操作部１４によって操作することでタブ部の編集に関する設定を行うことができる。なお、タブ部編集画面１５０は、タブ紙設定画面１００内のサブ編集画面として表示部１３のディスプレイに表示されるが、タブ部編集設定画面１５０は、タブ紙設定画面１００内ではなく独立して表示されても良い。
【００８７】
ページ設定部１５１において、タブ紙を挿入する前後のページのページ番号の設定を行う（Ｓ３０８）。ページ設定部１５１は、テキスト入力欄やアップダウンボタンを有し、たとえば、ユーザは「１」と入力することで、タブ紙を挿入する前後のページのページ番号を指定することができる。
【００８８】
挿入設定部１５２において、タブ部編集をしている用紙の挿入に関して設定を行う（Ｓ３０９）。挿入設定部１５２は、プルダウンメニューを有し、たとえば、ユーザは「オフ」を選択することで、印刷した用紙の挿入を行わないことを指定することができる。プルダウンメニューには、「オフ」の選択項目のほかに、挿入に関する項目１６１に示すように、「前に挿入」、「後に挿入」の項目が含まれる。ここで、前に挿入を選択すると、ページ設定部１５１で設定したページ番号の前のページに印刷した用紙の挿入処理が行われ、後に挿入を選択すると、ページ設定部１５１で設定したページ番号の後のページに印刷した用紙の挿入処理が行われる。
【００８９】
挿入設定部１５２において、ユーザから挿入の指定を受け付けた際に、タブ部に関する編集をしている用紙が挿入紙として扱えるのか否かを判定、つまり、その用紙がタブ紙であるのかタブ紙生成用紙であるのかを判定しなければならない。タブ紙生成用紙は、挿入紙として扱われるとユーザにとって都合が悪いので、ユーザに挿入処理ができないことを認識させる必要がある。そこで、ＴａｂＩｎｓｅｒｔ値に基づいて、挿入処理を実行するのか、挿入処理を禁止するための禁則処理を実行するのかを判定する（Ｓ３１０）。
【００９０】
ＴａｂＩｎｓｅｒｔ値が「１」の場合は、タブ部の編集している用紙が「タブ紙」であることを示しているので、挿入処理を実行するのを許可する（Ｓ３１１）。
【００９１】
ＴａｂＩｎｓｅｒｔ値が「０」の場合は、タブ部の編集している用紙が「タブ紙生成用紙」であることを示しているので、挿入処理を禁止するための禁則処理を実行する（Ｓ３１２）。禁則処理を実行すると同時に、ユーザに対して、選択している用紙がタブ紙生成用紙であることと、その用紙が挿入紙として扱うことが適当でないことを認識させるために警告が行われても良い（Ｓ３１３）。図１３は、警告画面１７０の一例を示す。
【００９２】
なお、用紙サイズの設定（Ｓ１０４）において「タブ紙生成用紙」を指定し、ユーザが挿入設定部１５２において挿入の指定を行う際に、「オフ」以外の選択項目をグレーアウトして、「オフ」以外の設定が不可能であることをユーザに視覚的に認知させるようにしてもよい。さらに、グレーアウトせずに、「オフ」以外の設定を表示しないようにして、「オフ」以外の設定がないことをユーザに視覚的に認知させるようにしてもよい。さらに、あらかじめ、ユーザが挿入設定部１５２において挿入の指定ができないように、挿入の設定を無効化してもよい。
【００９３】
次に、タブ部への印字に関する指定を受け付ける（Ｓ３１４）。タブ部への印字に関する指定は、たとえば、タブ位置設定部１５３、タブ長さ設定部１５４、タブテキスト設定部１５５、サイズ設定部１５６、カラー設定部１５７、角度設定部１５８により行われる。
【００９４】
タブ位置設定部１５３において、タブ部編集をしている用紙のタブ部の位置の設定を行う。タブ部の位置とは、平坦な矩形状の本体の上端部分からタブ部分の上端までの距離を示している。タブ位置設定部１５３は、テキスト入力欄やアップダウンボタンを有し、たとえば、「０ｍｍ」と入力することで、タブ部分の上端の位置を本体の上端部と同じ位置に指定することができる。タブ位置設定部１５３は、画像プレビュー部１０８で指定されたページに基づいて、あらかじめ数値が入力されていても良く、ユーザにより入力された数値を修正できるように設定されてもよい。
【００９５】
タブ長さ設定部１５４において、タブ部編集をしている用紙のタブ部の長さの設定を行う。タブ部の長さとは、タブ部分の上端から下端までの距離を示している。タブ長さ設定部１５４は、テキスト入力欄やアップダウンボタンを有し、たとえば、「５０ｍｍ」と入力することで、タブ部分上端から下端までの距離を５０ｍｍに指定することができる。タブ位置設定部１５３とタブ長さ設定部１５４により、タブ部への印字ができる領域を規定することができる。
【００９６】
タブテキスト設定部１５５において、タブ部に印字する文字列の設定を行う。タブテキスト設定部１５５は、テキスト入力欄を有し、たとえば、「Ｔａｂ」と入力することで、タブ部分に印字する文字列を指定することができる。
【００９７】
サイズ設定部１５６において、タブ部に印字する文字列のフォントサイズの設定を行う。サイズ設定部１５６は、アップダウンボタンを有し、たとえば、「１０ｐｏｉｎｔ」を選択することで、タブ部に印字する文字列のフォントサイズを指定することができる。
【００９８】
カラー設定部１５７において、タブ部に印字する文字列のフォンの色の設定を行う。カラー設定部１５７は、プルダウンメニューを有し、たとえば、「赤」を選択することで、タブ部に印字する文字列のフォントの色を指定することができる。
【００９９】
角度設定部１５８において、タブ部に印字する文字列の回転角度の設定を行う。角度設定部１５８は、アップダウンボタンを有し、たとえば、「９０度」を選択することで、タブ部に印字する文字列を時計回りに９０度回転させる指定をすることができる。
【０１００】
タブ紙プレビュー部１５９において、上記の設定部１５３〜１５８において指定されたタブ部への印字に関する設定が反映されたプレビュー画が表示される。
【０１０１】
タブ部編集完了確認部１６０において、タブ部の編集に関する設定の完了確認を行う。タブ部編集完了確認部１６０は、「ＯＫ」ボタンを有し、例えば、ユーザが「ＯＫ」ボタンを押下することで、タブ部の編集に関する設定を終了させることができる。タブ部の編集に関する設定が完了すると、再度、タブ紙設定画面１００が表示部１３に表示される。
【０１０２】
タブ紙設定画面１００のタブ編集完了確認部１１０において、タブ部に関する設定の完了確認を行う。タブ編集完了確認部１１０は、「ＯＫ」ボタンを有し、例えば、ユーザが「ＯＫ」ボタンを押下することで、タブ部に関する設定を終了させることができる。
【０１０３】
再び図７を参照すると、タブ部に関する設定が完了し、他の印刷設定も完了すると、ユーザは印刷実行の指示を出し、印刷ジョブ情報を作成する（Ｓ１１０）。
【０１０４】
図１４は、印刷ジョブ情報１９０の一例を示す図である。印刷ジョブ情報１９０は、ジョブ情報とページ情報とからなる。ジョブ情報は、印刷に関するジョブ情報、たとえば、ページ数や印刷部数等の印刷ジョブ全体に関する情報を格納するジョブ情報からなる。ページ情報は、各ページの設定情報であり、たとえば、用紙サイズ設定、カラー設定（ＣＭＹＫの４色）、画像データなどの印刷ジョブを構成するページ毎の設定情報を格納するページ情報である。タブ設定画面１００およびタブ部編集画面１５０において指定されたタブ全般に関する設定はページ情報の中に格納されても良く、ジョブ情報の中に格納されても良い。
【０１０５】
次に、印刷ジョブ情報１９０は、記憶部１２に格納され、通信インタフェース１５からネットワーク３を介してＭＦＰ２に送信される（Ｓ１１１）。
【０１０６】
次に、本実施形態に係るＭＦＰ２の動作の概要について説明する。図１５は、ＭＦＰ２における印刷処理の手順を示すフローチャートである。なお、図１５のフローチャートにより示されるアルゴリズムは、ＭＦＰ２の記憶部２２に備えられるハードディスク等にプログラムとして記憶されており、制御部２１に備えられるＣＰＵによって実行される。
【０１０７】
まず、ＭＦＰ２は、ＰＣ１から送信される印刷ジョブ情報を受信する（Ｓ４０１）。
【０１０８】
次に、印刷ジョブ情報を受信したＭＦＰ２は、メモリ上において、ジョブ情報およびページ情報を解析する（Ｓ４０２）。ページ情報の解析において、タブ部への印刷を指定する１パラメータであるＴａｂＩｍａｇｅ値について１であるのか、０であるのかを判定する（Ｓ４０３）。ＭＦＰ２におけるＴａｂＩｍａｇｅ値の判定の結果は、ＰＣ１で扱ったＴａｂＩｍａｇｅ値と同じことを示している。つまり、ＴａｂＩｍａｇｅ値が「１」であった場合は、そのページがタブ部に画像を印刷することを示し、ＴａｂＩｍａｇｅ値が「０」であった場合は、そのページがタブ部に印刷をしないことを示す。
【０１０９】
ＴａｂＩｍａｇｅ値が「１」の場合、印刷するページがタブ部に画像を印刷する必要があるページであるため、ＭＦＰ２はタブ部に印刷ができるように、フルブリード印刷を実行する（Ｓ４０４）。
【０１１０】
ＴａｂＩｍａｇｅ値が「０」の場合、印刷するページはタブ部に画像を印刷する必要が無いため、ＭＦＰ２は通常の印刷処理を実行する（Ｓ４０５）。
【０１１１】
最後に、ＭＦＰ２は、印刷部２５により、給紙部２７より給紙した記録用紙に対して画像を印刷する。そして、ＭＦＰ２は、必要に応じて後処理部２６による各種後処理を実行してから記録用紙を出力トレイ２６１、２６２のいずれかに排出する（Ｓ４０６）。その後、ＭＦＰ２は一連の処理を終了する。
【０１１２】
以上のように、本実施形態に係る画像形成システムＡは、断裁によってタブ紙を生成するためのタブ紙生成用紙が記録用紙として指定された場合においても、タブ紙と同様にタブ部となる部分に画像を印刷するためのタブ部編集処理（Ｓ１０９）を実行することができる。つまり、画像形成システムＡは、タブ紙のみならずタブ紙生成用紙に対してもタブ印刷機能を実行することができる。さらに、タブ紙生成用紙が挿入紙として扱われるとユーザにとって不都合である。例えば、タブ紙生成用紙は断裁機によって断裁されて始めてタブ紙として使用できるため、出力された用紙束から挿入されたタブ紙生成用紙を抜き取って断裁機にかけなければならずユーザに大きな負担となる。それゆえ、記録用紙としてタブ紙生成用紙が指定された際に、その指定された記録用紙を挿入紙として扱うことを禁止すための禁則処理を実行することで、挿入用紙としてのタブ紙生成用紙とその他の用紙が混在する印刷物が出力されることを防止することができる。
【０１１３】
続いて、第２の実施形態おける画像形成システムＡの動作について説明する。なお、第２の実施形態についての説明は、第１の実施形態と相違する点を中心に説明し、同様な点は簡単に説明または省略する。
【０１１４】
図１６は、第２実施形態のＰＣ１における印刷設定処理の手順を示すフローチャートである。
【０１１５】
まず、ユーザの操作に基づいて、アプリケーションの印刷設定ダイアローグを介して、プリンタドライバが起動させられる（Ｓ５０１）。
【０１１６】
続いて、プリンタドライバによって表示される印刷設定画面において、ページ毎に印刷に関する設定の開始要求が受け付けられ、ページ設定画面が表示部１３のディスプレイ等に表示される（Ｓ５０２）。
【０１１７】
図１７は、ページ設定画面２００の一例を示す図である。
【０１１８】
ページ設定画面２００は、ページ番号設定部２０１、挿入設定部２０２、用紙種類設定部２０３、斤量設定部２０４、給紙トレイ設定部２０５、用紙サイズ設定部２０６、画像プレビュー部２０７、ページ設定完了確認部２０８を備えている。ユーザはページ設定画面２００に設けられた各設定部を操作部１４によって操作することでページに関する設定を行うことができる（Ｓ５０３）。
【０１１９】
ページ番号設定部において、印刷する印刷物中の設定するページの番号の設定を行う。ページ番号設定部２０１はテキスト入力欄やアップダウンボタンを有し、たとえば、ユーザは「１」と入力することで、設定するページ番号を指定することができる。
【０１２０】
用紙種類設定部２０３、斤量設定部２０４、給紙トレイ設定部２０５は、第１の実施形態における設定部１０３〜１０５と同じため説明を割愛する。
【０１２１】
用紙サイズ設定部２０６においても、第１の実施形態における用紙サイズ設定部と同様に、印刷する記録用紙の用紙サイズの設定を行う（Ｓ５０４）。用紙サイズ設定部２０３、および処理ステップＳ５０４は、第１実施形態の用紙サイズ設定部１０３、および処理ステップＳ１０４と同様である。また、ステップＳ５０４に続くステップ５０５、Ｓ５０６、Ｓ５０７も第１実施形態におけるステップＳ１０５、Ｓ１０６、Ｓ１０７と同様である。つまり、記憶部上で関数ＴａｂＩｍａｇｅとＴａｂＩｎｓｅｒｔに値をセットする。関数ＴａｂＩｍａｇｅはＭＦＰ２において印刷するか否かを示す。関数ＴａｂＩｎｓｅｒｔは挿入紙として扱えるか否かを示す。各関数値はともに、「１」がＹｅｓであり、「０」がＮｏを示す。これら関数値は１ページ毎に存在する。セットすべき関数値は図９に示すとおりで、記録用紙の属性が「タブ紙」である場合はＴａｂＩｍａｇｅとＴａｂＩｎｓｅｒｔの両方に「１」をセットする。記録用紙の属性が「タブ紙生成用紙」である場合はＴａｂＩｍａｇｅに「１」とＴａｂＩｎｓｅｒｔに「０」をセットする。記録用紙の属性が「タブ紙」でも「タブ紙生成用紙」でもない「通常紙」の場合はＴａｂＩｍａｇｅとＴａｂＩｎｓｅｒｔの両方に「０」をセットする。
【０１２２】
挿入設定部２０２において、ページ番号設定部２０１で設定したページ番号の記録用紙の挿入に関して設定を行う（Ｓ５０８）。挿入設定部２０２および処理ステップＳ５０８は、第１実施形態の挿入設定部１５２と処理ステップＳ３０９と同様である。また、ステップＳ５０８に続くステップＳ５０９〜Ｓ５１２に関しても、ステップＳ３１０〜Ｓ３１３と同様である。つまり、挿入設定部２０２において「前に挿入」または「後に挿入」などの挿入有り設定が選択された場合、記録用紙を挿入紙として扱えないようにする禁則処理を行う。挿入有り設定されたページのＴａｂＩｎｓｅｒｔ値を参照し（Ｓ５０９）、ＴａｂＩｎｓｅｒｔが１の場合は挿入選択を許可する（Ｓ５１０）。ＴａｂＩｎｓｅｒｔが０の場合は、挿入選択が禁止される（Ｓ５１１）。なお、禁止処理と同時にユーザに対して挿入紙として扱えないことを認識させる警告処理が行われても良い（Ｓ５１２）。さらに、フローチャートでは、挿入設定がされてからの処理としているが挿入設定がされる前から、ＴａｂＩｎｓｅｒｔ値で、挿入有り設定を選択可能／無効化しても良い。
【０１２３】
続いて、ページ設定完了確認部２０８を押下することで、ページに関する設定を完了させる。さらに、タブ部に関する設定を受け付け（Ｓ５１４）、タブ部に関する設定および他の印刷設定も完了すると、ユーザは印刷実行の指示を出し、印刷ジョブ情報を作成し（Ｓ５１５）、印刷ジョブ情報をＭＦＰ２へと送信する（Ｓ５１６）。
【０１２４】
以上のように、第２の実施形態によれば、上述した第１の実施形態と同様の効果を得ることができることに加えて、タブ設定画面ではなく一般的なページ設定画面において、タブ紙生成用紙を選択した際に、挿入紙として扱うことに対する禁則処理を行うことができ、ユーザの使い勝手がより向上する。
【０１２５】
本発明は、上記した実施形態のみに限定されるものではなく、特許請求の範囲内において、種々改変することができる。
【０１２６】
さらに、本発明に係る画像形成装置及び印刷設定装置は、上記手順を実行するための専用のハードウェア回路によっても、上記手順を記述したプログラムをＣＰＵが実行することによっても実現可能である。後者により本発明を実現する場合、画像処理装置２又は印刷設定装置１を動作させるプログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。ここで、コンピュータ読み取り可能な記録媒体に記録されたプログラムは、通常、ＲＯＭやハードディスク等に転送され記録される。また、上記プログラムは、単独のアプリケーションソフトとして提供されてもよいし、画像形成装置又は印刷設定装置の一機能としてその装置のソフトウェアに組み込まれてもよい。
【符号の説明】
【０１２７】
１  ＰＣ、
２  ＭＦＰ、
３  ネットワーク、
１１  制御部、
１２  記憶部、
１３  表示部、
１４  操作部、
１５  通信インタフェース、
１６  バス、
２１  制御部、
２２  記憶部、
２３  操作部、
２４  画像読取部、
２５  印刷部、
２６  後処理部、
２７  給紙部、
２８  通信インタフェース、
２９  バス、
４００  タブ紙生成用紙、
５００、６００  タブ紙、
１００  タブ紙設定画面
１０１  タブ総数設定部、
１０２  使用タブ数設定部、
１０４  斤量設定部、
１０５  給紙トレイ設定部、
１０６  用紙サイズ設定部、
１０８  画像プレビュー部、
１０９  タブ部編集設定部、
１１０  タブ編集完了確認部、
１２０  用紙サイズ対応情報、
１５０  タブ部編集画面、
１５１  ページ設定部、
１５２  挿入設定部、
１５３  タブ位置設定部、
１５４  タブ長さ設定部、
１５５  タブテキスト設定部、
１５６  サイズ設定部、
１５７  カラー設定部、
１５８  角度設定部、
１５９  タブ紙プレビュー部、
１６０  タブ部編集完了確認部、
１７０  警告画面、
１９０  印刷ジョブ情報、
２００  ページ設定画面。
【図１】
2011134134.tif 000003
【図２】
2011134134.tif 000004
【図３】
2011134134.tif 000005
【図４】
2011134134.tif 000006
【図５】
2011134134.tif 000007
【図６】
2011134134.tif 000008
【図７】
2011134134.tif 000009
【図８】
2011134134.tif 000010
【図９】
2011134134.tif 000011
【図１０】
2011134134.tif 000012
【図１１】
2011134134.tif 000013
【図１２】
2011134134.tif 000014
【図１３】
2011134134.tif 000015
【図１４】
2011134134.tif 000016
【図１５】
2011134134.tif 000017
【図１６】
2011134134.tif 000018
【図１７】
2011134134.tif 000019